(57)【要約】【課題】長手方向と直交する方向において、１８０°の角度範囲に亘って均一な光の放射を可能とする円柱状発光ロッドの構成を提供すること。【解決手段】光透過性を有し、かつ円筒状の外側被覆層を形成しているクラッド２の内壁の一部領域に対し、同一の厚みを以って固着されている光反射層３を備え、その余のクラッド２の内側領域は、光透過性を有しているコア４によって充填されている状態である円柱状発光ロッド１であって、当該円柱の長手方向と直交する方向において、光反射層３が当該長手方向に沿った中心位置に沿って１８０°の角度範囲に亘って円弧状領域を形成していることによって、前記課題を達成し得る円柱状発光ロッド。【選択図】図３
0003165909.tif 000002
【実用新案登録請求の範囲】
【請求項１】
光透過性を有し、かつ円筒状の外側被覆層を形成しているクラッドの内壁の一部領域に対し、同一の厚みを以って固着されている光反射層を備え、その余のクラッドの内側領域は、光透過性を有しているコアによって充填されている状態である円柱状発光ロッドであって、当該円柱の長手方向と直交する方向において、光反射層が当該長手方向に沿った中心位置に沿って１８０°の角度範囲に亘って円弧状領域を形成している円柱状発光ロッド。
【請求項２】
光反射層が１８０°の角度範囲にて形成する円弧状領域において、０°の位置並びにその近傍、及び１８０°の位置並びにその近傍において、コアが充填されている内側に突出する肉厚部を付加していることを特徴とする請求項１記載の円柱状発光ロッド。
【請求項３】
長手方向と直交する方向において、光反射層の端部から長手方向の中心位置を透過しない方向に放射される光線と、光透過層の端部同士と接続し、かつ中心の位置を通過するラインとの間の最大角度をαとした場合、コアにおける透過率をｎ1とし、クラッドにおける透過率をｎ2とした場合、ｎ1／ｎ2＝2cos(α/2)であって、しかもｎ2は、空気層の透過率と等しいことを特徴とする請求項１記載の円柱状発光ロッド。
【考案の詳細な説明】
【技術分野】
【０００１】
本考案は、円柱状発光ロッドに関するものである。
【背景技術】
【０００２】
光透過性を有し、かつ円筒状の外側被覆層を形成しているクラッドの内壁の一部領域に対し、同一の厚みを以って固着されている光反射層を備え、その余のクラッドの内側領域は、光透過性を有しているコアによって充填されている状態である円柱状発光ロッドの場合には、例えば特許文献１に示すように、長手方向と直交する方向において、光反射層が円弧状領域を形成する範囲を当該長手方向に沿った中心位置に沿って所定の角度範囲に設定している。
【０００３】
上記構成においては、前記所定の角度範囲に亘って、発光ダイオード等の光反射層に基づく光線を均一に放射させることができる。
【０００４】
しかしながら、前記特許文献１に示す従来技術を使用して光の放射を行った場合に、現に実現される光線の放射角度範囲は、精々９０°近辺であって、到底１５０°を超えるような角度範囲に亘る均一な光の放射を実現することができない。
【０００５】
尤も、特許文献２に示すように、長手方向と直交する方向のクラッド内側において光反射層を半円状の領域範囲とし、その余の半円状の領域範囲をコアによって充填させた場合には、１８０°の角度範囲に亘る光の放射を実現することができる。
【０００６】
しかしながら、そのような半円状の領域範囲に形成されている光反射層の場合には、均一な光の放射を実現することができない。
【先行技術文献】
【特許文献】
【０００７】
【特許文献１】特開２００３−６８１０８号公報
【特許文献２】特開２００３−１４１９０４号公報
【考案の概要】
【考案が解決しようとする課題】
【０００８】
本考案は、長手方向と直交する方向において、１５０°を超えるような角度範囲に亘って均一な光の放射を可能とする円柱状発光ロッドの構成を提供することを課題としている。
【課題を解決するための手段】
【０００９】
前記課題を解決するため、本考案の基本構成は、光透過性を有し、かつ円筒状の外側被覆層を形成しているクラッドの内壁の一部領域に対し、同一の厚みを以って固着されている光反射層を備え、その余のクラッドの内側領域は、光透過性を有しているコアによって充填されている状態である円柱状発光ロッドであって、当該円柱の長手方向と直交する方向において、光反射層が当該長手方向に沿った中心位置に沿って１８０°の角度範囲に亘って円弧状領域を形成している円柱状発光ロッドからなる。
【考案の効果】
【００１０】
前記基本構成に基づく本考案においては、長手方向と直交する方向に、１５０°〜１６０°の角度範囲に亘って光反射層からの発する光線を均一な光度にて放射することができる。
【図面の簡単な説明】
【００１１】
【図１】実施例１の構成を示す長手方向と直交する方向の断面図を示す。
【図２】実施例２の構成を示す長手方向と直交する方向の断面図を示す。
【図３】本考案の基本構成を示しており、（ａ）は長手方向と直交する方向の断面図であり、（ｂ）は長手方向に沿った側面図である。
【考案を実施するための形態】
【００１２】
前記基本構成は、図３に示すように、特許文献１の場合と同様の円柱状発光ロッド１において、光反射層３をクラッド２の内壁に固着している円弧状領域を１８０°の範囲にまで拡張していることを基本的特徴点としている。
【００１３】
このような特徴点に基づき、長手方向に直交する方向において、半円弧状領域を呈している光反射層３の各領域から、長手方向の中心位置を通過する光線を均一に放射し、ひいては、１５０°〜１６０°の角度範囲に亘って円柱状発光ロッド１から均一な光度による放射を実現することができる。
光反射層３を１８０°の角度範囲にて固着しているにも拘らず、前記のように均一な光線の放射角度が１５０°〜１６０°であることの原因としては、０°である端部の位置及びその近傍の位置から発した光線は、所定の立体角を伴って順次広がるように放射され、当該光線の一部は、反対側に位置している１８０°である端部の位置及びその近傍の位置における光反射層３を照射し、外部に放射することができない状態が出現し、同様に、１８０°及びその近傍の位置から発した光線についても、０°である端部の位置及びその近傍の位置との関係において、同様の状態が出現することを想定することができる。
【００１４】
光反射層３としては、加電によって発光し得る如何なる素材も採用することが可能であり、蛍光塗料物質、光の吸収に基づいて発光可能な発光塗料物質、発光ダイオード等の素材を採用することができる。
【００１５】
クラッド２及びコア４としては、透明性の高いポリメチルメタクリレート樹脂（ＰＭＭＡ）、ポリカーボネート樹脂（ＰＣ）、メタクリル酸メチル／スチレン共重合体樹脂（ＭＳ）、ポリスチレン樹脂（ＰＳ）が好適に採用され得るが、半透明の円柱状発光ロッド１の場合には、これらに限定される訳ではなく、ポリエチレン樹脂（ＰＥ）、ポリプロピレン樹脂（ＰＰ）、ポリアミド樹脂（ＰＡ）、ポリエステル樹脂（ＰＥＴ）等をも採用することができる。
【実施例１】
【００１６】
実施例は、図１に示すように、光反射層３が１８０°の角度範囲にて形成する円弧状の領域において、０°の位置並びにその近傍、及び１８０°の位置並びにその近傍において、コア４が充填されている内側に突出する肉厚部３１を付加していることを特徴としている。
【００１７】
前記基本構成の場合には、半円弧状の光反射層３を発光源として放射する光線のうち、長手方向の中心の位置を基準として０°並びにその近傍、及び１８０°並びにその近傍という端部及びその近傍の領域では、一部の発光光線が前記中心の位置を通過しないことを原因として、外部に放射した光線においては、一方の端部の位置から離れている１０°〜１５０°の角度範囲の領域に比し、一方の端部の位置から０°〜１０°の領域及び１６０°〜１８０°の領域が、多少放射光線の光度が低い状態となることが多い。
【００１８】
このような場合、実施例１のように、コア４に突出する肉厚部３１を付加した場合には、前記端部における光線の光度を補強することになり、全放射領域において均一な光線を確保することができる。
尚、付加に対する形状及び大きさについては、光反射層３の発光状況に即して、具体的な試験に即して設定すると良い。
【実施例２】
【００１９】
実施例２は、図２に示すように、長手方向と直交する方向において、光反射層３の端部から長手方向の中心位置を透過しない方向に放射される光線と、光透過層の端部同士と接続し、かつ中心の位置を通過するラインとの間の最大角度をαとした場合、コア４における透過率をｎ1として、クラッド２における透過率をｎ2とした場合、ｎ1／ｎ2＝2cos(α/2)であって、しかもｎ2は、空気層の透過率と等しいことを特徴としている。
【００２０】
実施例１において説明したように、円弧状の光反射層３の端部及びその近傍からは長手方向の中心位置を通過しないような光が放射する場合があるが、当該光の放射方向と、光反射層３の各端部、即ち前記中心位置を基準として、０°及び１８０°の位置同士を結ぶラインとの間の最大角度をαとした場合、前記中心の位置を透過しない光線と、前記のように端部同士を結合するラインとの間の平均角度は、約α／２である。
【００２１】
このような場合、図２に示すように、α／２の角度にて放射した光がクラッド２に入射する角度は、当該入射位置と長手方向の中心の位置とを結ぶラインとの間では、α／２である。
【００２２】
このような場合、前記ラインを基準として、上記入射光線がクラッド２を透過する角度をβとした場合、ｎ1sin(α/2)=ｎ2sinβ  が成立する。
【００２３】
即ち、sinβ＝(ｎ1／ｎ2)・sin(α/2)  が成立することから、前記実施例２の特徴点である数式を充足した場合には、sinβ＝２sin(α/2)・cos(α/2)＝sinα  が成立し、結局、α＝βが成立する。
【００２４】
したがって、クラッド２の透過率ｎ2が大気の透過率である１と等しい場合には、前記のように、約α/２の角度にて放射した光線がクラッド２及び大気を透過した光線の平均した角度方向は、図２に示すように、光反射層３の各端部同士を結ぶラインと略平行な方向に沿って放射されることになる。
【００２５】
即ち、光反射層３において、各端部及びその近傍において、前記のように最大角度αにて、前記中心位置を通過しないような放射光に対し、クラッド２を透過した後の平均した角度方向として、前記各端部同士を結合するような方向に是正することができ、結局、実施例１によって指摘したような一方の端部の位置から離れている１０°〜１５０°の領域に比し、一方の端部の位置から０°〜１０°の領域及び１５０°〜１６０°の領域が多少放射光線の光度が低いという状態を補填することが可能となる。
【産業上の利用可能性】
【００２６】
本考案は、広告及び装飾等の円柱状発光ロッドの広範な分野において利用することが可能である。
【符号の説明】
【００２７】
１  円柱状発光ロッド
２  クラッド
３  光反射層
３１  付加した肉厚部
４  コア
【図１】
0003165909.tif 000003
【図２】
0003165909.tif 000004
【図３】
0003165909.tif 000005